(57)【要約】【課題】筐体側面にストラップが取り付け可能になった携帯用カメラ等において、ポケットへの収納操作等がスムーズに行える上に、ストラップ取り付け部材を筐体から出没させる操作を簡単に行う。【解決手段】筐体４に対して出没自在になったホルダ体６の先端部にストラップの挿通孔８が形成され、反対側にフック部６ａが形成される。ホルダ体６を筐体４から突出する方向へ付勢するスプリング１２と、ホルダ体６の没入状態を維持するフック体１３と、フック体１３をホルダ体６の方向へ付勢するスプリング１５と、フック体１３のフック部６ａとの係合を解除させる解除ボタン１６とを備える。ユーザが解除ボタン１６を押すと、フック体１３の係合が外れてホルダ体６の先端部が筐体４外へ突出する。ユーザがストラップを取り付けた後、ホルダ体６を筐体４内へ押し込むと、没入位置においてフック体１３がフック部６ａに係合してホルダ体６の没入状態が維持される。【選択図】図２
2007240568.tif 000002
【特許請求の範囲】
【請求項１】
筐体の側面にストラップが取り付け可能になった携帯用カメラにおいて、
前記筐体の側面に形成された凹所内に出没自在に挿入され、前記筐体から突出する先端部にストラップの挿通孔が形成され、前記先端部の反対側の端部にフック部を有するホルダ体と、
前記ホルダ体を前記筐体から突出させる方向へ付勢する第１のスプリングと、
前記ホルダ体が前記第１のスプリングに抗して前記筐体内に没入されるとき、前記ホルダ体のフック部と係合して前記ホルダ体の没入状態を維持させるフック体と、
前記フック体を、前記ホルダ体のフック部の方向へ付勢する第２のスプリングと、
前記フック体の前記ホルダ体のフック部との係合状態を、前記第２のスプリングに抗して解除させるフック解除ボタンとを備え、
前記ホルダ体のフック部と前記フック体とは、前記ホルダ体が前記第１のスプリングに抗して筐体内に没入されるとき、前記ホルダ体のフック部の外周斜面が前記フック体の外周斜面上を摺動しながら前記フック体を該フック部から遠ざける方向へ押圧して移動させるように構成され、
前記ホルダ体にストラップを取り付けるときには、ユーザが前記フック解除ボタンを操作して前記フック体の前記ホルダ体のフック部との係合を外して、前記挿通孔が形成された前記ホルダ体の先端部を筐体外に露出させ、ストラップの取り付け後には、ユーザがストラップが取り付けられた前記ホルダ体を前記筐体内に押し込むことによって、前記ホルダ体が筐体内に没入され、前記フック体の前記ホルダ体のフック部との係合によって前記ホルダ体の没入状態が維持されることを特徴とする携帯用カメラ。
【請求項２】
筐体の側面にストラップが取り付け可能になった携帯用電気機器において、
前記筐体の側面に形成された凹所内に出没自在に挿入され、筐体から突出する先端部にストラップの挿通孔が形成されたホルダ体と、
前記ホルダ体を前記筐体から突出させる方向へ付勢するスプリングと、
前記ホルダ体が前記スプリングに抗して前記筐体内に没入されるとき、前記ホルダ体と係合して前記ホルダ体の没入状態を維持させるフック体と、
前記フック体の前記ホルダ体との係合状態を解除させるフック解除ボタンとを備え、
前記ホルダ体にストラップを取り付けるときには、ユーザが前記フック解除ボタンを操作して前記挿通孔が形成された前記ホルダ体の先端部を筐体外に露出させ、ストラップの取り付け後には、ユーザが前記ホルダ体を前記筐体内に押し込むことによってストラップが取り付けられた前記ホルダ体が筐体内に没入され、前記フック体の前記ホルダ体との係合によって前記ホルダ体の没入状態が維持されることを特徴とする携帯用電気機器。
【請求項３】
前記ホルダ体に、前記ストラップの挿通孔に連結して、該ホルダ体の先端面にまで延びるストラップの収納溝が形成されていることを特徴とする請求項２に記載の携帯用電気機器。
【発明の詳細な説明】
【技術分野】
【０００１】
本発明は、携帯用カメラ及び携帯用電気機器に関し、詳しくは筐体にストラップが取り付け可能になった携帯用カメラ及び携帯用電気機器に関する。
【背景技術】
【０００２】
携帯用カメラ（ディジタルカメラと銀鉛フィルムカメラを含む）、ＩＣレコーダ、携帯電話機等の携帯用電気機器は、一般的に鞄や衣服のポケットに収納して持ち運ばれる。そして、これらの携帯用電気機器では、ポケットから取り出される場合等の取り扱いの便利さを図るために筐体の側面にストラップが取り付け可能になっている。
【０００３】
筐体にストラップが簡単に取り付けられ、かつ取り付けたストラップが外れる虞なく確実に筐体に連結される構造を有するものとして、筐体の側面に形成された凹部に出没自在にピン状のストラップ係止部材を備えた携帯電子機器が知られている（例えば、特許文献１参照）。
【０００４】
また、ストラップを取り付ける部材が、不使用時には邪魔にならないようにケース本体内に収納できるように構成されたものとして特許文献２及び特許文献３に記載された携帯用電子情報機器及び携帯物品が知られている。特許文献２に記載のものは、ストラップ取付部材としてのストラップフックがケース本体に対して直交する方向に出没できるように構成され、特許文献３に記載のものは、ストラップ取付部材としてのクランプがケース本体に対して突出した位置と収納された位置との間で回動自在に支持されている。
【０００５】
さらに、ストラップの取り付け金具が筐体に対して回転可能に構成されて、ストラップのねじれが生じないように工夫されたストラップ取付装置が特許文献４に開示されている。
【特許文献１】特開２００１−９４６５０号公報
【特許文献２】特開平７−１３７７４７号公報
【特許文献３】実開昭６４−５０４７５号公報
【特許文献４】特開平５−１１３３７号公報
【発明の開示】
【発明が解決しようとする課題】
【０００６】
上記特許文献２及び特許文献３に記載の携帯用電子情報機器及び携帯物品は、ストラップを取り付けないときには、ストラップフック（クランプ）をケース本体内に収納できるので、当該携帯電子機器をポケットに収納する場合やポケットから取り出す場合に、ストラップフック（クランプ）が衣服に引っ掛かる等の支障が生じず、ユーザによる収納、取出しをよりスムーズにすることができる。
【０００７】
しかし、特許文献２及び特許文献３に記載の携帯用電子情報機器及び携帯物品では、ストラップフック（クランプ）にストラップを取り付けたときには、ストラップフック（クランプ）がケース本体から突出したままであるので、ユーザがポケットに収納する場合等に、その突出したストラップフック（クランプ）が衣服に引っ掛かる虞がある。
【０００８】
また、特許文献２及び特許文献３に記載の携帯用電子情報機器及び携帯物品では、ケース本体内に収納されたストラップフック（クランプ）を、ユーザがケース本体外へ突出させるためには、ユーザが、ストラップフックの先端部に形成された溝に指の爪を掛けて外側へ直線的に引っ張り出す操作が必要であったり、クランプの側面に形成された切り欠部に指の爪を掛けてクランプを外側へ回転させる操作が必要であり、ユーザにとって面倒である。
【０００９】
そこで、本発明は、ユーザが、ストラップを取り付けた携帯用カメラ及び携帯用電気機器を衣服のポケット等に収納する場合及びポケット等から取り出す場合に、ストラップの基端部が取り付けられた部材（ストラップ取り付け部材）が衣服に引っ掛かる等の支障が生じず、ユーザによる収納、取り出し等の取り扱いがスムーズに行える上に、ストラップ取り付け部材を筐体から突出させる操作、及び突出されたストラップ取り付け部材を筐体内へ収納させる操作がワンタッチで簡単に行える携帯用カメラ及び携帯用電気機器を提供することを目的とする。
【課題を解決するための手段】
【００１０】
上記目的を達成するために請求項１の発明は、筐体の側面にストラップが取り付け可能になった携帯用カメラにおいて、前記筐体の側面に形成された凹所内に出没自在に挿入され、前記筐体から突出する先端部にストラップの挿通孔が形成され、前記先端部の反対側の端部にフック部を有するホルダ体と、前記ホルダ体を前記筐体から突出させる方向へ付勢する第１のスプリングと、前記ホルダ体が前記第１のスプリングに抗して前記筐体内に没入されるとき、前記ホルダ体のフック部と係合して前記ホルダ体の没入状態を維持させるフック体と、前記フック体を、前記ホルダ体のフック部の方向へ付勢する第２のスプリングと、前記フック体の前記ホルダ体のフック部との係合状態を、前記第２のスプリングに抗して解除させるフック解除ボタンとを備え、前記ホルダ体のフック部と前記フック体とは、前記ホルダ体が前記第１のスプリングに抗して筐体内に没入されるとき、前記ホルダ体のフック部の外周斜面が前記フック体の外周斜面上を摺動しながら前記フック体を該フック部から遠ざける方向へ押圧して移動させるように構成され、前記ホルダ体にストラップを取り付けるときには、ユーザが前記フック解除ボタンを操作して前記フック体の前記ホルダ体のフック部との係合を外して、前記挿通孔が形成された前記ホルダ体の先端部を筐体外に露出させ、ストラップの取り付け後には、ユーザがストラップが取り付けられた前記ホルダ体を前記筐体内に押し込むことによって、前記ホルダ体が筐体内に没入され、前記フック体の前記ホルダ体のフック部との係合によって前記ホルダ体の没入状態が維持されることを特徴とする。
【００１１】
請求項２の発明は、筐体の側面にストラップが取り付け可能になった携帯用電気機器において、前記筐体の側面に形成された凹所内に出没自在に挿入され、筐体から突出する先端部にストラップの挿通孔が形成されたホルダ体と、前記ホルダ体を前記筐体から突出させる方向へ付勢するスプリングと、前記ホルダ体が前記スプリングに抗して前記筐体内に没入されるとき、前記ホルダ体と係合して前記ホルダ体の没入状態を維持させるフック体と、前記フック体の前記ホルダ体との係合状態を解除させるフック解除ボタンとを備え、前記ホルダ体にストラップを取り付けるときには、ユーザが前記フック解除ボタンを操作して前記挿通孔が形成された前記ホルダ体の先端部を筐体外に露出させ、ストラップの取り付け後には、ユーザが前記ホルダ体を前記筐体内に押し込むことによってストラップが取り付けられた前記ホルダ体が筐体内に没入され、前記フック体の前記ホルダ体との係合によって前記ホルダ体の没入状態が維持されることを特徴とする。
【００１２】
請求項３の発明は、請求項２に記載の発明において、前記ホルダ体に、前記ストラップの挿通孔に連結して、該ホルダ体の先端面にまで延びるストラップの収納溝が形成されていることを特徴とする。
【発明の効果】
【００１３】
本発明によれば、筐体側面にストラップが取り付け可能になった携帯用カメラ及び携帯用電気機器において、それらを衣服のポケット等に収納する場合及びポケット等から取り出す場合に、ストラップ取り付け部材が邪魔にならず、ユーザによる取り扱いがスムーズに行える上に、ストラップ取り付け部材を筐体から突出させる操作、及び突出されたストラップ取り付け部材を筐体内へ収納させる操作がワンタッチで簡単に行える。
【発明を実施するための最良の形態】
【００１４】
以下、本発明の一実施形態に係る携帯電話機について、図１乃至図３を参照して説明する。本実施形態の携帯電話機１は、図１に示すように、ヒンジ部２によって連結されコンパクトに折り畳むことができる２ピースの筐体３、４を有し、一方の筐体３には液晶パネルからなる表示部（不図示）、スピーカ（不図示）及びアンテナ５等を備え、他方の筐体４には主にキー操作部（不図示）とマイク（不図示）を備えている。
【００１５】
そして、筐体４の端面にストラップを取り付けるための部材としてのホルダ体６が出没自在に設けられている。図１（ａ）は、ストラップ７が取り付けられた後にホルダ体６が筐体４内に没入された状態を示し、図１（ｂ）は、ストラップ７が取り付けられていないホルダ体６が筐体４内に没入された状態を示し、図１（ｃ）は、筐体４から突出されたホルダ体６の挿通孔８にストラップ７の基端の紐状部７ａが挿通された状態を示す。
【００１６】
次に、図２（ａ）（ｂ）と図３を参照して、ホルダ体６が筐体４に対して出没自在に支持される構造、及びホルダ体６が筐体４内に没入された状態で維持される構造について詳細に説明する。
【００１７】
ホルダ体６は、筐体４から突出する先端部分に、ホルダ体６を横方向に貫通するストラップ７の挿通孔８と、その挿通孔８に連結されてホルダ体６の先端面にまで縦方向に延びるストラップの収納溝９とを備え（図３において拡大図示）、この先端部の反対側の端部（図示の下端部）に略Ｌ字状になったフック部６ａを備えている。また、ホルダ体６は、筐体４の端面の内側に形成されたスリーブ部４ａに摺動自在に挿入され、筐体４内のリブ４ｂとホルダ体６との間に設けられたスプリング１２によって常時突出方向（図２（ｂ）における矢印Ｂの方向）へ付勢されている。
【００１８】
そして、ホルダ体６は、ユーザによって、スプリング１２に抗して筐体４内方向（図２（ａ）における矢印Ａの方向）へ押し込まれると、ホルダ体６の先端部は完全に筐体４内に没入する。この没入した状態のホルダ体６のフック部６ａに係合するように、筐体４内にフック体１３が備えられている。
【００１９】
フック体１３は、筐体４に対して支軸１４の回りで回動自在に支持されている。このフック体１３のフック１３ａ側と筐体４との間には、フック１３ａをフック部６ａに係合する方向（図２（ａ）（ｂ）において反時計回り方向）に付勢するスプリング１５が設けられている。そして、フック部６ａの外周斜面６ｂとフック１３ａの外周斜面１３ｂは、共に４５度の斜面に形成してあり、スプリング１５によってフック部６ａに係合する方向に付勢されたフック体１３に対して、筐体４から突出した状態のホルダ体６が、ユーザによって筐体４の内側（矢印Ａの方向）へ押し込まれると、ホルダ体６の外周斜面６ｂがフック１３ａの外周斜面１３ｂ上を摺動しながらフック体１３を、ホルダ体６から遠ざける方向（図２（ａ）（ｂ）において時計回り方向）へ押圧して回動させるようになっている。
【００２０】
また、フック体１３のフック１３ａが形成された側の反対側の端部と対向する位置には、筐体４内側に延びるスリーブ部４ｃに進退自在に支持された解除ボタン１６が備えられている。この解除ボタン１６は、その先端部がフック体１３の側面に当接しており、フック体１３とフック部６ａが係合した図２（ａ）の状態において、ユーザによって解除ボタン１６が筐体４の内側（図２（ｂ）における矢印Ｃ方向）へ押圧されると、フック体１３が図２（ｂ）における時計回り方向へ回動されて、フック体１３のフック１３ａとホルダ体６のフック部６ａとの係合が外されるようになっている。フック体１３のフック１３ａとホルダ体６のフック部６ａの係合が外されると、ホルダ体６は、図２（ｂ）中の矢印Ｂに示したように、スプリング１２の弾発力によって筐体４から突出する。
【００２１】
次に、ホルダ体６にストラップ７を取り付ける操作について説明する。最初、ホルダ体６は、図１（ｂ）に示されたように筐体４内に没入された状態とする。ユーザがストラップ７を取り付けようとする場合には、ユーザは筐体４側面の解除ボタン１６を押す。すると、フック体１３が図２（ａ）（ｂ）における時計回り方向に回動させられて、フック体１３とホルダ体６のフック部６ａの係合が外れ、ホルダ体６の先端部が図２（ｂ）に示されたように筐体４外に突出する。
【００２２】
そして、ホルダ体６の先端部には挿通孔８が形成されているので、ユーザは、ストラップ７の基端部の紐状部７ａを挿通孔８に挿入し（図１（ｃ））、ストラップ７をホルダ体６に連結する。続いて、ユーザが、ホルダ体６の先端部を筐体４の内側（図２（ａ）の矢印Ａ方向）へ押し込むと、ホルダ体６の外周斜面６ｂとフック体１３の外周斜面１３ｂが前述のとおりに作用し合って、フック体１３が一時的にフック部６ａとの係合から外れる方向（図２における時計回り方向）へ回動させられ、ホルダ体６が筐体４内に完全に没入される。ホルダ体６が筐体４内に完全に没入されたとき、フック体１３がスプリング１５の付勢によって図２（ａ）（ｂ）における反時計回り方向へ回動させられて、ホルダ体６のフック部６ａと再び係合させられる（図２（ａ））。
【００２３】
ストラップ７が取り付けられたホルダ体６が筐体４内に押し込まれるときに、ストラップ７の基端部の紐状部７ａは、ホルダ体６の挿通孔８に連結された収納溝９に収納されるので、ホルダ体６と筐体４のスリーブ部４ａの間に紐状部７ａが噛みこんでホルダ体６の筐体４内への押し込みが不能になってしまうことがなく、ホルダ体６は円滑に筐体４内に没入される。
【００２４】
ストラップ７を外すときには、ユーザが解除ボタン１６を押すと、フック部６ａとフック体１３との係合が外されて、ホルダ体６の先端部が筐体４外へ突出するので、ユーザは、容易にホルダ体６とストラップ７との連結を外すことができる。
【００２５】
次に、ＩＣレコーダ２１に本発明を適用した場合について、図４（ａ）（ｂ）（ｃ）を参照して説明する。ＩＣレコーダ２１に本発明を適用する場合も、上記携帯電話機１の場合とほぼ同様の構造であって、筐体２２の上端面にホルダ体６が出没自在に設けられ、前面又は後面の上部に解除ボタン１６が設けられる。ホルダ体６が筐体２２内に没入された状態（図４（ｂ））において、ユーザが解除ボタン１６を押すと、ホルダ体６のフック部６ａとフック体１３との係合が外されて、図４（ｃ）に示されるように、ホルダ体６の先端部が筐体２２から突出するので、その先端部の挿通孔８に、ユーザがストラップ７を容易に連結できる。そして、ユーザがホルダ体６を再び筐体２２内に押し込むと、筐体２２内のフック体１３がホルダ体６のフック部６ａに係合して、図４（ａ）に示されるように、ホルダ体６の没入状態が維持される。
【００２６】
次に、ディジタルカメラ３１に本発明を適用した場合について、図５（ａ）（ｂ）（ｃ）を参照して説明する。ディジタルカメラ３１に本発明を適用する場合も、前述の携帯電話機１の場合とほぼ同様の構造であって、筐体３２の側面にホルダ体６が出没自在に設けられ、前面に解除ボタン１６が設けられる。筐体３２の前面には、撮像のためのレンズ３３とストロボランプ３４が設けられ、図５（ａ）における上部には、撮像時にユーザが右手で筐体３２を掴んで支持するための若干前方へ膨出したグリップ部３２ａが形成されている。ユーザが、グリップ部３２ａを右手で掴んだ状態でカメラを構えたときに、ユーザは、グリップ部３２ａ側に取り付けられたストラップ７を自身の右手首に掛けることができる。
【００２７】
ホルダ体６へのストラップ７の取り付けに関しては、前述の携帯電話機１の場合と同様であり、ホルダ体６が筐体３２内に没入された状態（図５（ｂ））において、ユーザが解除ボタン１６を押すと、ホルダ体６のフック部６ａとフック体１３との係合が外されて、ホルダ体６の先端部が筐体３２から突出するので、図５（ｃ）に示されるように、その先端部の挿通孔８に、ユーザがストラップ７を容易に連結できる。そして、ユーザがホルダ体６を再び筐体３２内に押し込むと、筐体３２内のフック体１３がホルダ体６のフック部６ａに係合して、図５（ａ）に示されるようなホルダ体６の没入状態が維持される。
【００２８】
以上のように、携帯電話機１、ＩＣレコーダ２１及びディジタルカメラ３１のいずれに本発明を適用した場合であっても、ストラップ７を取り付けたホルダ体６を筐体４、２２、３２内に没入させることができるので、滑らかに形成されている携帯電話機等の外周から突出する部分を無くすことができ、ユーザがこれら携帯電話機等を衣服のポケットに収納するとき、及びポケットから取り出すときに、よりスムーズにその取り扱いを行うことができる。
【００２９】
また、ホルダ体６を筐体４、２２、３２から突出させるには、解除ボタン１６を押し込むだけでよく、逆にホルダ体６を筐体４、２２、３２内に没入させるには、ホルダ体６を筐体内部に押し込むだけでよく、操作が極めて簡単である。
【図面の簡単な説明】
【００３０】
【図１】（ａ）は、本発明の一実施形態に係る携帯電話機のホルダ体にストラップを取り付けた状態の斜視図、（ｂ）は、同ストラップを取り付けていないホルダ体を筐体内に没入させた状態の斜視図、（ｃ）は、同筐体から突出させたホルダ体にストラップが挿入された状態の斜視図。
【図２】（ａ）は、ホルダ体が筐体内に没入された状態を示す断面図、（ｂ）は、ホルダ体が筐体から突出された状態を示す断面図。
【図３】同ホルダ体の先端部の斜視図。
【図４】（ａ）は、本発明をＩＣレコーダに適用した場合のストラップを取り付けた状態の斜視図、（ｂ）は、同ストラップを取り付けていないホルダ体を筐体内に没入させた状態の斜視図、（ｃ）は、同筐体から突出させたホルダ体にストラップが挿入された状態の斜視図。
【図５】（ａ）は、本発明をディジタルカメラに適用した場合のストラップを取り付けた状態の斜視図、（ｂ）は、同ストラップを取り付けていないホルダ体を筐体内に没入させた状態の斜視図、（ｃ）は、同筐体から突出させたホルダ体にストラップが挿入された状態の斜視図。
【符号の説明】
【００３１】
１  携帯電話機
４  筐体
６  ホルダ体
６ａ  フック部
６ｂ  外周斜面
７  ストラップ
８  挿通孔
９  ストラップの収納溝
１２  スプリング（第１のスプリング）
１３  フック体
１３ｂ  外周斜面
１５  スプリング（第２のスプリング）
１６  解除ボタン
２１  ＩＣレコーダ
２２  筐体
３１  ディジタルカメラ
３２  筐体
【図１】
2007240568.tif 000003
【図２】
2007240568.tif 000004
【図３】
2007240568.tif 000005
【図４】
2007240568.tif 000006
【図５】
2007240568.tif 000007